(57)【要約】      （修正有）【課題】名刺に名刺本来の目的の他に付加価値をつけておくことにより、受け取った名刺を常に持ち歩いたり、たびたび見られる状態におくよう仕向けて、名刺の宣伝、広告的機能を高める。【解決手段】単葉或は折畳み自在とした名刺本体１の１乃至複数辺にスケール２を表示して計測機能を持たせ、又名刺本体１に静電気を帯電させておいてスケールによる線引き作業等の機能性を高め、更には文字、スケール等の印刷をマイナスイオンインクで行って、防虫・消臭・防カビ・青果物の鮮度保存に役立てようとするものである。【選択図】図１
0003107327.tif 000002
【実用新案登録請求の範囲】
【請求項１】
単葉或は折畳み自在とした名刺本体の１乃至複数辺にスケールを表示してなる名刺。
【請求項２】
名刺本体に静電気を帯電させた請求項１記載の名刺。
【請求項３】
名刺本体の文字、スケール等をマイナスイオンインクで印刷してなる請求項１及び請求項２記載の名刺。
【考案の詳細な説明】
【技術分野】
【０００１】
本考案は名刺の改良に関する。
【背景技術】
【０００２】
従来の名刺は長方形であって、本人を表示したり、営業内容などを表示したものであったが、これらはの殆どが最初の受け取った時だけ机の上や引き出し等に収納され、又必要になったときだけ探し出し利用するのが一般的である。
【０００３】
然しながら、これら名刺の殆どは忘れられるようになり、宣伝、広告的な効果が薄い。
【考案の開示】
【考案が解決しようとする課題】
【０００４】
そこで本考案は、この名刺に名刺本来の目的の他に付加価値をつけておくことにより、受け取った名刺を常に持ち歩いたり、たびたび見られる状態におくよう仕向けて、名刺の宣伝、広告的機能を高めようとするものである。
【課題を解決するための手段】
【０００５】
本考案は、単葉或は折畳み自在とした名刺本体の１乃至複数辺にスケールを表示して計測機能を持たせ、又名刺本体に静電気を帯電させておいてスケールによる線引き作業等の機能性を高め、更には文字、スケール等の印刷をマイナスイオンインクで行って、防虫・消臭・防カビ・青果物の鮮度保存に役立てようとするものである。
【考案の効果】
【０００６】
本考案の効果として、名刺本体の１乃至複数辺にスケールを表示してあるので、それを持ち歩くことにより常に計測することができ、結果的に持ち歩いたり収納場所より引き出すことが多くなるので、名刺の宣伝、広告機能を十分に果たすことができる。
【０００７】
然も名刺本体に静電気を帯電させてあるので、名刺を置いて線引き作業等をするときは不用意に動くことなくスムーズに作業をすることができる。
【０００８】
名刺本体への印刷に際し、マイナスイオンインクを使用することにより、防虫・消臭・防カビ・青果物の鮮度保存に役立ち、環境や健康にやさしい名刺となり、名刺本来の効用に加えて付加価値が高まり、結果的に名刺を見る機会が多くなって宣伝、広告機能を高めるものである。
【実施例】
【０００９】
本案を図示の実施例により詳記すると、上下に半分に折畳み自在とした名刺本体１の１乃至複数辺の縁にスケール２を表示してなるものである。図示にあっては二つ折り名刺本体１を展開した状態の辺にスケール２を設けてあるが、その他の複数折畳み自在の名刺本体や、単葉の名刺本体でも良い。
【００１０】
名刺本体１の材質としては、伸び縮みが少なく、水に強く不用意に千切れたりすることの無いものが望ましく、又名刺本体１がマイナスイオンの発生する材質のものが望ましい。
【００１１】
名刺本体１に静電気を帯電させておく。これにより線を引いたりするときには名刺本体は相手方に静電付着し、不用意にずれ動いたりすること無く正確な線引き作業や、計測ができる。
【００１２】
名刺本体の文字、スケール等をマイナスイオンインクで印刷しておく。
これにより、防虫・消臭・防カビ・青果物の鮮度保存に役立ち、環境や健康にやさしい名刺となる。
【図面の簡単な説明】
【００１３】
【図１】本考案にかかわる名刺の正面説明図。
【図２】同裏面図。
【符号の説明】
【００１４】
１：名刺本体
２：スケール
【図１】
0003107327.tif 000003
【図２】
0003107327.tif 000004
【手続補正書】
【提出日】平成16年9月15日(2004.9.15)
【手続補正１】
【補正対象書類名】実用新案登録請求の範囲
【補正対象項目名】全文
【補正方法】変更
【補正の内容】
【実用新案登録請求の範囲】
【請求項１】
単葉或は折畳み自在とした長方形状の名刺本体の１乃至複数辺に長さ単位の目盛を表示してなる名刺。
【請求項２】
名刺本体に静電気を帯電させた請求項１記載の名刺。
【請求項３】
名刺本体の文字、長さ単位の目盛等をマイナスイオンインクで印刷してなる請求項１及び請求項２記載の名刺。
【手続補正２】
【補正対象書類名】明細書
【補正対象項目名】全文
【補正方法】変更
【補正の内容】
【考案の詳細な説明】
【技術分野】
【０００１】
本考案は名刺の改良に関する。
【背景技術】
【０００２】
従来の名刺は長方形であって、本人を表示したり、営業内容などを表示したものであったが、これらはの殆どが最初の受け取った時だけ机の上や引き出し等に収納され、又必要になったときだけ探し出し利用するのが一般的である。
【０００３】
然しながら、これら名刺の殆どは忘れられるようになり、宣伝、広告的な効果が薄い。
【考案の開示】
【考案が解決しようとする課題】
【０００４】
そこで本考案は、この名刺に名刺本来の目的の他に付加価値をつけておくことにより、受け取った名刺を常に持ち歩いたり、たびたび見られる状態におくよう仕向けて、名刺の宣伝、広告的機能を高めようとするものである。
【課題を解決するための手段】
【０００５】
本考案は、単葉或は折畳み自在とした長方形状の名刺本体の１乃至複数辺に長さ単位の目盛を表示して計測機能を持たせ、又名刺本体に静電気を帯電させておいて長さ単位の目盛による線引き作業等の機能性を高め、更には文字、長さ単位の目盛等の印刷をマイナスイオンインクで行って、防虫・消臭・防カビ・青果物の鮮度保存に役立てようとするものである。
【考案の効果】
【０００６】
本考案の効果として、名刺本体の１乃至複数辺に長さ単位の目盛を表示してあるので、それを持ち歩くことにより常に計測することができ、結果的に持ち歩いたり収納場所より引き出すことが多くなるので、名刺の宣伝、広告機能を十分に果たすことができる。
【０００７】
然も名刺本体に静電気を帯電させてあるので、名刺を置いて線引き作業等をするときは不用意に動くことなくスムーズに作業をすることができる。
【０００８】
名刺本体への印刷に際し、マイナスイオンインクを使用することにより、防虫・消臭・防カビ・青果物の鮮度保存に役立ち、環境や健康にやさしい名刺となり、名刺本来の効用に加えて付加価値が高まり、結果的に名刺を見る機会が多くなって宣伝、広告機能を高めるものである。
【実施例】
【０００９】
本案を図示の実施例により詳記すると、上下に半分に折畳み自在とした長方形状の名刺本体１の１乃至複数辺の縁に長さ単位の目盛２を表示してなるものである。図示にあっては二つ折り名刺本体１を展開した状態の辺に長さ単位の目盛２を設けてあるが、その他の複数折畳み自在の名刺本体や、単葉の名刺本体でも良い。
【００１０】
名刺本体１の材質としては、伸び縮みが少なく、水に強く不用意に千切れたりすることの無いものが望ましく、又名刺本体１がマイナスイオンの発生する材質のものが望ましい。
【００１１】
名刺本体１に静電気を帯電させておく。これにより線を引いたりするときには名刺本体は相手方に静電付着し、不用意にずれ動いたりすること無く正確な線引き作業や、計測ができる。
【００１２】
名刺本体の文字、長さ単位の目盛等をマイナスイオンインクで印刷しておく。これにより、防虫・消臭・防カビ・青果物の鮮度保存に役立ち、環境や健康にやさしい名刺となる。
【図面の簡単な説明】
【００１３】
【図１】本考案にかかわる名刺の正面説明図。
【図２】同裏面図。
【符号の説明】
【００１４】
１：名刺本体
２：長さ単位の目盛